(57)【要約】【課題】紙幣搬送装置における異常発生位置の現場での特定を容易にすることで、迅速確実な異常解除処置を行うことができるようにする。【解決手段】遊技設備は、複数の遊技台１と、各遊技台１に隣接して設けられた複数の遊技媒体貸出処理装置２とを備えている。各貸出処理装置２に投入された紙幣Ｂを遊技島の端部（島端金庫４）へ横方向に搬送する紙幣搬送装置３が設けられている。搬送装置３によって搬送される紙幣Ｂの通過位置を監視する複数の紙幣通過センサ８が配置されている。制御ユニット４４は、各センサ８による紙幣の通過位置の監視に基づいて、紙幣の詰まり等の搬送異常発生と異常発生位置とを判断すると共に、異常発生時には、異常発生位置に近接した店員呼出ランプ６に異常発生の表示をさせる。各遊技台１の上に設けられた呼出ランプ６を用いることで、実際の現場で目視による異常発生位置の特定を行うことができる。【選択図】　図１
2004041443.tif 000002
【特許請求の範囲】
【請求項１】
複数の遊技台を備え、それらの遊技台を横方向に並べて構成される遊技島の形態を有した遊技設備において、
各遊技台に隣接して設けられ、紙幣の投入に応じて遊技媒体の貸し出しに関する処理を行う複数の遊技媒体貸出処理装置と、
各貸出処理装置に投入された紙幣を前記遊技島の端部へ横方向に搬送する紙幣搬送装置と、
この搬送装置によって搬送される紙幣の搬送状態を監視する搬送監視手段と、
前記遊技島に横方向に間隔を置いて設けられた複数の表示手段と、
前記監視手段による搬送状態の監視に基づいて、紙幣の搬送異常発生と異常発生位置とを判断すると共に、その異常発生位置に近接した前記表示手段に異常発生の表示をさせるように構成された制御手段と
をさらに備えたことを特徴とする遊技設備。
【請求項２】
前記表示手段は、各遊技台に対応して設けられている、ことを特徴とする請求項１記載の遊技設備。
【請求項３】
前記表示手段は、各遊技台に対応して設けられた店員呼出用ランプである、ことを特徴とする請求項２記載の遊技設備。
【請求項４】
前記表示手段は、各遊技台に対応して設けられた台データ表示装置である、ことを特徴とする請求項２記載の遊技設備。
【請求項５】
前記表示手段は、各遊技台の前面に設けられた装飾ランプである、ことを特徴とする請求項２記載の遊技設備。
【請求項６】
前記表示手段は、各貸出処理装置に対応して設けられている、ことを特徴とする請求項１記載の遊技設備。
【発明の詳細な説明】
【０００１】
【発明の属する技術分野】
本発明は、複数の遊技台（例えばパチンコ台）と遊技媒体（例えばパチンコ玉）の貸出処理装置とを横方向に並べて構成される遊技島の形態を有した遊技設備に係り、とりわけ、各貸出処理装置に投入された紙幣を遊技島の端部へ横方向に搬送する紙幣搬送装置を備えた遊技設備に関する。
【０００２】
【従来の技術】
上記のような紙幣搬送装置を備えた遊技設備は一般に、遊技島の端部へ搬送された紙幣が、そこに設置された紙幣収納用の金庫や紙幣リサイクル式の両替機に送り込まれるようになっている（特開平５−６４６８９等）。そして、搬送中の紙幣に詰まり等の搬送異常が発生した場合には、店員が異常発生位置に対応した遊技台を開放して搬送装置を露出させ、その異常を解除する処置（詰まり紙幣の取り出し等）を行うことになる。
【０００３】
その場合、異常発生位置に対応した遊技台を特定する方法としては、上記の金庫や両替機、或いは遊技設備と接続された管理コンピュータの表示部に異常発生位置の情報を表示することが行われている。その情報表示としては、各遊技台に割り振られた台番号（第○号機等）の表示や、遊技島全体の平面レイアウト図形上の表示等が用いられている。すなわち、それらの表示を見た店員が、表示情報の記憶を頼りに実際の現場で遊技台を特定し、これを開放して異常解除の処置を行うことになる。
【０００４】
【発明が解決しようとする課題】
上述したような従来の遊技設備には、異常発生位置の特定に関して以下のような問題点がある。
【０００５】
まず、「第○号機」等の台番号表示による特定では、直感的に位置を把握することができず、現場での位置の特定が容易ではない。また、レイアウト図表示による特定では、おおよその位置は直感的に把握できるかもしれないが、同じ外観の遊技台が並んでいる現場に行って実際に１つの遊技台を特定するのは、やはり容易ではない。
【０００６】
一方、異常解除時に遊技台を開放する場合は、遊技台の使用を中断してもらう必要があり、遊技客に迷惑をかけることになる。その上、誤って別の遊技台を開放してから（通常は隣の）正しい遊技台を開放するようなことになれば、復旧に時間が掛かるだけでなく、遊技客に不信感を与えることにもなりかねない。また、紙幣搬送装置の異常は、その遊技設備全体の遊技媒体貸出処理装置の利用停止につながるため、一刻も早い復旧が望まれる。
【０００７】
本発明は、このような点を考慮してなされたものであり、紙幣搬送装置における異常発生位置の現場での特定を容易にすることで、迅速確実な異常解除処置を行うことができるような遊技設備を提供することを目的とする。
【０００８】
【課題を解決するための手段】
第１の発明は、複数の遊技台を備え、それらの遊技台を横方向に並べて構成される遊技島の形態を有した遊技設備において、各遊技台に隣接して設けられ、紙幣の投入に応じて遊技媒体の貸し出しに関する処理を行う複数の遊技媒体貸出処理装置と、各貸出処理装置に投入された紙幣を前記遊技島の端部へ横方向に搬送する紙幣搬送装置と、この搬送装置によって搬送される紙幣の搬送状態を監視する搬送監視手段と、前記遊技島に横方向に間隔を置いて設けられた複数の表示手段と、前記監視手段による搬送状態の監視に基づいて、紙幣の搬送異常発生と異常発生位置とを判断すると共に、その異常発生位置に近接した前記表示手段に異常発生の表示をさせるように構成された制御手段とをさらに備えたことを特徴とする遊技設備である。
【０００９】
この第１の発明によれば、遊技島に横方向に間隔を置いて設けられた複数の表示手段を用いることで、実際の現場で目視による異常発生位置の特定を行うことができる。
【００１０】
第２の発明は、第１の発明において、前記表示手段は、各遊技台に対応して設けられているものである。
【００１１】
この第２の発明によれば、異常解除処置を行う際に開放すべき遊技台を直接特定することができる。
【００１２】
第３の発明は、第２の発明において、前記表示手段が、各遊技台に対応して設けられた店員呼出用ランプであるものである。
【００１３】
この第３の発明によれば、遊技設備に既設の店員呼出ランプを利用することで、構成の簡素化とコストの抑制を図ることができる。
【００１４】
第４の発明は、第２の発明において、前記表示手段が、各遊技台に対応して設けられた台データ表示装置であるものである。
【００１５】
この第４の発明によれば、遊技設備に既設の台データ表示装置を利用することで、構成の簡素化とコストの抑制を図ることができる。なお、台データ表示装置とは、遊技客への情報提供を目的として、各遊技台ごとの遊技履歴（特賞回数や始動回数等）のデータを表示するための装置である。
【００１６】
第５の発明は、第２の発明において、前記表示手段が、各遊技台の前面に設けられた装飾ランプであるものである。
【００１７】
この第５の発明によれば、遊技台に既設の装飾ランプを利用することで、構成の簡素化とコストの抑制を図ることができる。
【００１８】
第６の発明は、第１の発明において、前記表示手段は、各貸出処理装置に対応して設けられているものである。
【００１９】
この第６の発明によれば、各貸出処理装置に対応した表示装置によって遊技台の特定を行うことができる。
【００２０】
【発明の実施の形態】
次に、図面を参照して本発明の実施の形態について説明する。図１、図２および図３は本発明による遊技設備の一実施形態を示す図である。以下、本実施形態の構成、運用例および作用効果、並びに変形例について順次説明する。
【００２１】
［構　成］
図１に示すように、本実施形態の遊技設備は、複数の遊技台（ここではパチンコ台）１と、各遊技台１に隣接して設けられた複数の遊技媒体貸出処理装置（ここでは台間カード処理機）２とを備えている。各貸出処理装置２は、紙幣の投入に応じて遊技媒体（ここではパチンコ玉）を貸し出す処理（ここでは遊技台１での貸し玉の投出）を行うものである。この遊技設備は、それらの遊技台１および貸出処理装置２を横方向に並べて構成される遊技島の形態を有している。通常は、この遊技設備の裏側（図１に示すのとは反対の側）にも複数の遊技台１および貸出処理装置２が同様に配置されている。
【００２２】
各遊技台１の上には、その遊技台１に割り振られる台番号を付した番号表示板５が取り付けられている。また、各番号表示板５の上には、それぞれ店員呼出ランプ６が設けられている。一方、各貸出処理装置２の上には、それぞれ台データ表示装置７が設けられている。この台データ表示装置７は、遊技客への情報提供を目的として、各遊技台１ごとの遊技履歴（特賞回数や始動回数等）のデータを表示するための装置である。
【００２３】
図１に示す遊技設備は更に、各貸出処理装置２に投入された紙幣Ｂを遊技島の端部へ横方向に搬送する紙幣搬送装置３を備えている。この搬送装置３としては、例えば駆動ベルトによって紙幣Ｂを搬送するような構成の公知のものを用いることができる。遊技島の端部には、搬送装置３によって搬送されてきた紙幣Ｂを収納する島端金庫４が設けられている。この島端金庫４は、島端ランプ４０および島端表示部４２を有している。
【００２４】
また、搬送装置３によって搬送される紙幣Ｂの搬送状態（通過位置）を監視する搬送監視手段として、複数の紙幣通過センサ８が、搬送装置３に沿って間隔を置いて設けられている。各通過センサ８としては、例えば遮光によって紙幣Ｂの通過を検出するような構成の公知のものを用いることができる。
【００２５】
次に図２には、図１の遊技設備における遊技台１の１つと、それに隣接した貸出処理装置２の外観構成の例が拡大して示されている。図２に示す遊技台１は、上部にガラス窓で覆われた盤面１０を有し、この盤面１０の角隅部などに適宜、装飾ランプ１２が設けられている。また、盤面１０の中央部には、いわゆる特別図柄（例えば３桁の数字等）を可変表示する可変表示装置１４が設けられている（この可変表示装置１４において特別図柄の変動を開始した回数が上記「始動回数」である）。さらに、遊技台１の内部には、入賞時における賞玉の投出と、貸出し時における貸し玉の投出とを行うための玉投出機構１６が内蔵されている。
【００２６】
図２に示す貸出処理装置２は、上部に紙幣挿入口２０および硬貨投入口２２を、下部にカード挿入口２４を、それぞれ有している。すなわち、この貸出処理装置２は、紙幣以外に硬貨やプリペイドカード等のカードも使用可能となっている。紙幣挿入口２０および硬貨投入口２２の上には、カードランプ２６ａおよび現金ランプ２６ｂからなる状態表示部２６が設けられている。この状態表示部２６は、カードの利用可能／不能時にカードランプ２６ａが点灯／消灯し、現金の利用可能／不能時に現金ランプ２６ｂが点灯／消灯するように構成されている。また、貸出処理装置２の中央部には、各種の操作や表示を行うための操作・表示部２８が設けられている。
【００２７】
次に図３には、本実施形態の遊技設備における制御系のブロック図が示されている。図３に示すように、島端金庫４には制御ユニット（制御手段）４４が設けられている。この制御ユニット４４には、上記の島端ランプ４０および島端表示部４２の他、各店員呼出ランプ６および紙幣通過センサ８が接続されている。また、島端金庫４の制御ユニット４４は、遊技設備が設置される店舗の管理コンピュータＭに接続されている。
【００２８】
この場合、遊技設備の構成する遊技島に横方向に間隔を置いて設けられた複数の表示手段として、各遊技台１に対応した店員呼出ランプ６が用いられる（図１参照）。そして、制御ユニット４４は、各通過センサ８による紙幣の搬送状態（通過位置）の監視に基づいて、紙幣の詰まり等の搬送異常発生と異常発生位置とを判断するように構成されている。
【００２９】
例えば、ある通過センサ８が所定時間以上継続して遮光されると当該センサの設置位置において詰まり等が発生したものと判断したり、ある通過センサ８が紙幣の通過を検出してから所定時間以内にその下流側の通過センサ８が紙幣を検知しなければ、両通過センサ８の設置位置の間で詰まり等の異常が発生したものと判断する。
【００３０】
また、制御ユニット４４は、異常発生時には、その異常発生位置に近接した店員呼出ランプ６に異常発生の表示をさせると共に、島端ランプ４０の点灯と島端表示部４２による異常表示を行うように構成されている。店員呼出ランプ６による異常発生の表示は、例えばランプの点滅や特定色の点灯などにより行われる。また、島端表示部４２による異常表示としては、例えば異常発生位置に対応する遊技台の台番号（図１の番号表示板５に示される番号）と異常内容を示す表示などが用いられる。
【００３１】
［運用例］
次に、本実施形態の遊技設備の運用例について説明する。
【００３２】
通常、貸出処理装置２の紙幣挿入口２０に挿入されてた紙幣Ｂは、搬送装置３によって遊技島の端部へ搬送され、島端金庫４内に収納される。一方、その過程で、制御ユニット４４が（通過センサ８による監視に基づいて）紙幣Ｂの詰まり等の搬送異常が発生したと判断した場合は、以下のような運用が行われる。
【００３３】
まず、制御ユニット４４は、島端ランプ４０の点灯により店員に異常発生を報知すると共に、島端表示部４２に異常発生位置に対応する遊技台１の台番号や異常内容等の異常表示を行う。同時に制御ユニット４４は、異常発生位置に対応する遊技台１の上の店員呼出ランプ６に異常発生の表示（例えば点灯や点滅）を行わせる。
【００３４】
異常を確認した店員は、店員呼出ランプ６による異常発生の表示によって特定した遊技台１を開放し、異常解除処置（詰まり紙幣の抜き取り等）を行う。異常解除処置を完了した店員は、店員呼出ランプ６による表示を（スイッチ等により）中止させ、島端金庫４の制御ユニット４４を操作して遊技設備を通常状態へ復帰させる。なお、店員呼出ランプ６の表示を中止させる操作に連動して呼出ランプ６側から制御ユニット４４に復帰信号を送ることで、自動的に遊技設備を通常状態へ復帰させるようにしてもよい。
【００３５】
［作用効果］
次に、以上のような構成よりなる本実施形態の作用効果について説明する。
【００３６】
本実施形態によれば、遊技島に横方向に間隔を置いて設けられた複数の店員呼出ランプ６を表示手段として用いることで、実際の現場で目視による異常発生位置の特定を行うことができる。これにより、紙幣搬送装置３における異常発生位置の現場での特定を容易にして、迅速確実な異常解除処置を行うことが可能となる。
【００３７】
特に、各遊技台１に対応して設けられた店員呼出ランプ６を表示手段として用いることで、異常解除処置を行う際に開放すべき遊技台１を直接特定することができる。また、遊技設備に既設の店員呼出ランプ６を利用することで、構成の簡素化とコストの抑制を図ることができる。
【００３８】
［変形例］
（１）遊技台１は、パチンコ台に限らずパチスロ台等の他の遊技台であってもよい。従って、遊技媒体もパチンコ玉に限らずメダル等の他の遊技媒体であってもよい。
【００３９】
（２）遊技媒体貸出処理装置２は、例示した紙幣・硬貨・カード併用式のものに限らず、紙幣・硬貨併用式、紙幣・カード併用式あるいは紙幣専用のものであってもよい。また、紙幣挿入口２０は、貸出処理装置２の本体とは別の場所に設けられていてもよい。さらに、例示したカード処理機のように、紙幣やカード等を受け入れて貸し出しに関する処理を行って、遊技台から遊技媒体を投出させるものに限らず、貸出処理装置自体が遊技媒体の投出機構を備えていてもよい。
【００４０】
（３）紙幣金庫４に代えて、遊技媒体貸出処理装置２から回収した紙幣を両替に利用するリサイクル式両替機を設けてもよい。
【００４１】
（４）異常発生位置を特定するための表示手段としては、店員呼出ランプ６に代えて、遊技台１の装飾ランプ１２（図２）や台データ表示装置７（図１）を用いてもよい。それらの場合も、遊技設備に既設のものを利用することで、構成の簡素化とコストの抑制を図ることができる。
【００４２】
（５）異常発生位置を特定するための表示手段を、各貸出処理装置２に対応して設けてもよい。その場合、例えば各貸出処理装置２に既設の状態表示部２６（図２）を当該表示手段として利用することで、構成の簡素化とコストの抑制を図ることができる。なお、本実施形態では各遊技台１に隣接して貸出処理装置２が設置されているので、各貸出処理装置２に対応した表示手段によって開放すべき遊技台１の特定を行うことができる。
【００４３】
例えば、搬送装置３による紙幣の搬送異常が発生すると、各貸出処理装置２の現金ランプ２６ｂは原則として消灯することになるが、このとき、異常発生位置に対応する貸出処理装置２の現金ランプ２６ｂのみを点灯ないし点滅（或いはカードランプ２６ａと交互に点灯）させることで、異常発生位置を特定するための表示手段として機能させることができる。
【００４４】
（６）台データ表示装置は、例えば店員呼出ランプ６等の部分に組み込むなどして、遊技台に対応して設けるようにしてもよい。
【００４５】
（７）搬送異常発生と異常発生位置とを判断して異常表示を行わせる制御手段としての機能は、島端金庫４の制御ユニット４４のみで果たす必要はなく、管理コンピュータＭ（図３）等の外部装置に全部または一部を代行させるようにしてもよい。
【００４６】
【発明の効果】
本発明によれば、遊技島に横方向に間隔を置いて設けられた複数の表示手段を用いることで、実際の現場で目視による異常発生位置の特定を行うことができる。これにより、紙幣搬送装置における異常発生位置の現場での特定を容易にして、迅速確実な異常解除処置を行うことが可能となる。
【図面の簡単な説明】
【図１】本発明による遊技設備の一実施形態を一部透視して示す正面図。
【図２】図１に示す遊技設備における遊技台（パチンコ台）の１つと、それに隣接した遊技媒体貸出処理装置（台間カード処理機）とを拡大して示す図。
【図３】図１に示す遊技設備の制御系を示すブロック図。
【符号の説明】
１　遊技台（パチンコ台）
１０　盤面
１２　装飾ランプ（表示手段）
１４　可変表示装置
２　遊技媒体貸出処理装置（台間カード処理機）
２０　紙幣挿入口
２６　状態表示部（表示手段）
３　紙幣搬送装置
４　島端金庫
４０　島端ランプ
４２　島端表示部
４４　制御ユニット（制御手段）
５　番号表示板
６　店員呼出ランプ（表示手段）
７　台データ表示装置（表示手段）
８　紙幣通過センサ（搬送監視手段）
Ｂ　紙幣
Ｍ　管理コンピュータ
【図１】
2004041443.tif 000003
【図２】
2004041443.tif 000004
【図３】
2004041443.tif 000005